(57)【要約】【課題】事故が発生する可能性のある地域を特定して事故発生前の過去の電力系統の設備の状態を簡易に取得することが可能な電力系統監視制御装置を提供する。【解決手段】電力系統監視制御装置は、複数の電力系統機器のそれぞれの状態値を取得する取得部と、取得されたそれぞれの状態値を、所定数の断面分、更新しながら記憶する記憶部と、記憶された複数の電力系統機器の状態値に基づき、監視対象とする電力系統機器を抽出する抽出部と、抽出した電力系統機器の周辺の他の電力系統機器を、複数の電力系統機器の位置情報に基づき抽出し、抽出した電力系統機器および他の電力系統機器を、監視対象領域として設定する領域設定部と、監視対象領域として設定した各電力系統機器の状態値を記憶部から抽出し、該状態値を記憶保持し続ける監視対象領域取得部と、記憶保持された状態値に基づき生成された情報を表示するための出力を行う表示制御部とを備える。【選択図】図３
2015027186.tif 000002
【特許請求の範囲】
【請求項１】
複数の電力系統機器またはそれら複数の電力系統機器を監視する監視機器から、それら複数の電力系統機器のそれぞれの状態値を取得する取得部と、
前記取得部で取得された前記複数の電力系統機器のそれぞれの状態値を、所定数の断面分、更新しながら記憶する記憶部と、
前記記憶部に記憶された前記複数の電力系統機器の状態値に基づき、監視対象とする電力系統機器を抽出する抽出部と、
前記複数の電力系統機器の中から、前記抽出部が抽出した電力系統機器の周辺の他の電力系統機器を、前記複数の電力系統機器の位置情報に基づき抽出し、それら前記抽出部が抽出した電力系統機器および前記他の電力系統機器を、監視対象領域として設定する領域設定部と、
前記監視対象領域として設定した各電力系統機器の状態値を前記記憶部から抽出し、前記記憶部における前記更新による該状態値の記憶削除以降も、該状態値を記憶保持し続ける監視対象領域取得部と、
前記監視対象領域として設定した前記電力系統機器の、前記記憶部において記憶削除され前記監視対象領域取得部に記憶保持された状態値を前記監視対象領域取得部から読み出し、読み出した状態値、またはその状態値に基づき生成された情報を表示するための出力を行う表示制御部とを備える、電力系統監視制御装置。
【請求項２】
前記複数の電力系統機器のそれぞれが送信する位置情報を受信する、請求項１に記載の電力系統監視制御装置。
【請求項３】
前記記憶部は、前記複数の電力系統機器のそれぞれの現在の状態値を記憶する第１の記憶部と、それら現在の状態値を周期的に過去の状態値として記憶する第２の記憶部を有し、
前記抽出部は、前記第１の記憶部および前記第２の記憶部に記憶された前記複数の電力系統機器のそれぞれの現在および過去の状態値に基づき、監視対象とする電力系統機器を抽出し、
前記領域設定部は、前記第１の記憶部および／または第２の記憶部を参照して、前記監視対象領域として設定された各電力系統機器の状態値を取得する、請求項１または２記載の電力系統監視制御装置。
【請求項４】
前記抽出部は、前記複数の電力系統機器のそれぞれの前記現在および過去の状態値の差分が所定のしきい値を超えた場合に、対応する電力系統機器を監視対象として抽出する、請求項１〜３のいずれか一項に記載の電力系統監視制御装置。
【請求項５】
前記監視対象領域として設定した各電力系統機器の異常を検出する異常検出部をさらに備え、
それら電力系統機器の少なくともいずれかに異常を検出した場合に、前記表示制御部は、前記表示のための出力を行う、請求項１〜４のいずれか一項に記載の電力系統監視制御装置。
【請求項６】
前記異常検出部は、前記記憶部に記憶された電力系統機器の現在および過去の状態値に基づいて、異常である電力系統機器を検出する、請求項５に記載の電力系統監視制御装置。
【請求項７】
前記異常検出部は、前記監視対象領域として設定していない電力系統機器について、前記異常検出の処理を行わない、あるいは当該異常検出の処理よりも処理負荷が少ない他の異常検出の処理を行う、請求項５または６に記載の電力系統監視制御装置。
【請求項８】
前記抽出部は、外部から環境情報が入力された場合に、その環境情報に基づき監視対象とする電力系統機器を抽出する、請求項１〜７のいずれか一項に記載の電力系統監視制御装置。
【請求項９】
複数の電力系統機器またはそれら複数の電力系統機器を監視する監視機器から、それら複数の電力系統機器のそれぞれの状態値を取得する取得部と、
前記取得部により取得された前記複数の電力系統機器のそれぞれの状態値を、所定数の断面分、更新しながら記憶する記憶部と、
外部から少なくとも一つの地域の環境情報が入力され、当該環境情報と前記複数の電力系統機器の位置情報に基づき、当該地域に対応する複数の電力系統機器を監視対象領域として設定する領域設定部と、
前記監視対象領域として設定した各電力系統機器の状態値を前記記憶部から抽出し、前記記憶部における前記更新による該状態値の記憶削除以降も、該状態値を記憶保持し続ける監視対象領域取得部と、
前記監視対象領域として設定した前記電力系統機器の、前記記憶部において記憶削除され前記監視対象領域取得部に記憶保持された状態値を前記監視対象領域取得部から読み出し、読み出した状態値、またはその状態値に基づき生成された情報を表示するための出力を行う表示制御部とを備える、電力系統監視制御装置。
【請求項１０】
複数の電力系統機器またはそれら複数の電力系統機器を監視する監視機器から、それら複数の電力系統機器のそれぞれの状態値を取得するステップと、
取得された前記複数の電力系統機器のそれぞれの状態値を、所定数の断面分、更新しながら記憶部に記憶するステップと、
前記記憶部に記憶された前記複数の電力系統機器の状態値に基づき、監視対象とする電力系統機器を抽出するステップと、
前記複数の電力系統機器の中から、抽出した電力系統機器の周辺の他の電力系統機器を、前記複数の電力系統機器の位置情報に基づき抽出し、それら抽出した電力系統機器および前記他の電力系統機器を、監視対象領域として設定するステップと、
前記監視対象領域として設定した各電力系統機器の状態値を前記記憶部から抽出し、前記記憶部における前記更新による該状態値の記憶削除以降も、該状態値を記憶保持し続けるステップと、
前記監視対象領域として設定した前記電力系統機器の記憶保持された状態値を読み出し、読み出した状態値、またはその状態値に基づき生成された情報を表示するための出力を行うステップとを備える、電力系統監視制御装置の制御方法。
【請求項１１】
複数の電力系統機器またはそれら複数の電力系統機器を監視する監視機器から、それら複数の電力系統機器のそれぞれの状態値を取得するステップと、
取得された前記複数の電力系統機器のそれぞれの状態値を、所定数の断面分、更新しながら記憶部に記憶するステップと、
外部から少なくとも一つの地域の環境情報が入力され、当該環境情報と前記複数の電力系統機器の位置情報に基づき、当該地域に対応する複数の電力系統機器を監視対象領域として設定するステップと、
前記監視対象領域として設定した各電力系統機器の状態値を前記記憶部から抽出し、前記記憶部における前記更新による該状態値の記憶削除以降も、該状態値を記憶保持し続けるステップと、
前記監視対象領域として設定した前記電力系統機器の記憶保持された状態値を読み出し、読み出した状態値、またはその状態値に基づき生成された情報を表示するための出力を行うステップとを備える、電力系統監視制御装置の制御方法。
【発明の詳細な説明】
【技術分野】
【０００１】
本発明は、電力系統を集中的に監視する電力系統監視制御装置およびそのその制御方法に関する。
【背景技術】
【０００２】
電力系統等の産業システムを構成する複数の系統設備に対して監視制御を行なう監視制御システムにおいては、近年、その監視制御対象となる系統設備の広域化および大規模化が進んでおり、そのような広域化および大規模化に対応したシステムの構築が求められている。
【０００３】
このような背景から、監視制御システムは、広域に分散された膨大な数の系統設備を監視制御する工夫が必要となる。
【０００４】
この点で、例えば、特開平９−１６３６３６号公報においては、事故発生時において、時系列的に電力系統の系統設備の状態を保存して表示する方式が開示されている。
【０００５】
一方で、膨大な数の系統設備からの状態情報が入力されるため、全ての状態を保存して表示することはシステムリソースの制限により難しい。この点で、従来は、事故発生前後で２断面である。事故発生前の過去の現地情報を提示するには、システム上で過去の現地情報を複数断面保持する必要があるが、システムリソースの制限により保持できる断面数が数断面に制限されていた。
【０００６】
この点で、特開平９−３２７１２８号公報においては、電力系統の接続状態を確認して、保存する情報の絞り込みを行う方式も開示されている。
【先行技術文献】
【特許文献】
【０００７】
【特許文献１】特開平９−１６３６３６号公報
【特許文献２】特開平９−３２７１２８号公報
【発明の概要】
【発明が解決しようとする課題】
【０００８】
しかしながら、電力系統の接続状態では接続関係によっては、地域的に全く異なる系統設備の状態を取得する可能性もある。例えば、事故原因が落雷等である場合には落雷が生じている地域等に関する系統設備の状態を把握したいという要求がある。
【０００９】
本発明は、上記の課題を解決するためになされたものであって、事故が発生する可能性のある地域を特定して事故発生前の過去の電力系統の設備の状態を簡易に取得することが可能な電力系統監視制御装置およびその制御方法を提供することを目的とする。
【課題を解決するための手段】
【００１０】
本発明のある局面に従う電力系統監視制御装置は、複数の電力系統機器またはそれら複数の電力系統機器を監視する監視機器から、それら複数の電力系統機器のそれぞれの状態値を取得する取得部と、取得部で取得された複数の電力系統機器のそれぞれの状態値を、所定数の断面分、更新しながら記憶する記憶部と、記憶部に記憶された複数の電力系統機器の状態値に基づき、監視対象とする電力系統機器を抽出する抽出部と、複数の電力系統機器の中から、抽出部が抽出した電力系統機器の周辺の他の電力系統機器を、複数の電力系統機器の位置情報に基づき抽出し、それら抽出部が抽出した電力系統機器および他の電力系統機器を、監視対象領域として設定する領域設定部と、監視対象領域として設定した各電力系統機器の状態値を記憶部から抽出し、記憶部における更新による該状態値の記憶削除以降も、該状態値を記憶保持し続ける監視対象領域取得部と、監視対象領域として設定した電力系統機器の、記憶部において記憶削除され監視対象領域取得部に記憶保持された状態値を監視対象領域取得部から読み出し、読み出した状態値、またはその状態値に基づき生成された情報を表示するための出力を行う表示制御部とを備える。
【００１１】
好ましくは、複数の電力系統機器のそれぞれが送信する位置情報を受信する。
好ましくは、記憶部は、複数の電力系統機器のそれぞれの現在の状態値を記憶する第１の記憶部と、それら現在の状態値を周期的に過去の状態値として記憶する第２の記憶部を有し、抽出部は、第１の記憶部および第２の記憶部に記憶された複数の電力系統機器のそれぞれの現在および過去の状態値に基づき、監視対象とする電力系統機器を抽出し、領域設定部は、第１の記憶部および／または第２の記憶部を参照して、監視対象領域として設定された各電力系統機器の状態値を取得する。
【００１２】
好ましくは、抽出部は、複数の電力系統機器のそれぞれの現在および過去の状態値の差分が所定のしきい値を超えた場合に、対応する電力系統機器を監視対象として抽出する。
【００１３】
好ましくは、監視対象領域として設定した各電力系統機器の異常を検出する異常検出部をさらに備え、それら電力系統機器の少なくともいずれかに異常を検出した場合に、表示制御部は、表示のための出力を行う。
【００１４】
特に、異常検出部は、記憶部に記憶された電力系統機器の現在および過去の状態値に基づいて、異常である電力系統機器を検出する。
【００１５】
特に、異常検出部は、監視対象領域として設定していない電力系統機器について、異常検出の処理を行わない、あるいは当該異常検出の処理よりも処理負荷が少ない他の異常検出の処理を行う。
【００１６】
好ましくは、抽出部は、外部から環境情報が入力された場合に、その環境情報に基づき監視対象とする電力系統機器を抽出する。
【００１７】
本発明の別の局面に従う電力系統監視制御装置は、複数の電力系統機器またはそれら複数の電力系統機器を監視する監視機器から、それら複数の電力系統機器のそれぞれの状態値を取得する取得部と、取得部により取得された複数の電力系統機器のそれぞれの状態値を、所定数の断面分、更新しながら記憶する記憶部と、外部から少なくとも一つの地域の環境情報が入力され、当該環境情報と複数の電力系統機器の位置情報に基づき、当該地域に対応する複数の電力系統機器を監視対象領域として設定する領域設定部と、監視対象領域として設定した各電力系統機器の状態値を記憶部から抽出し、記憶部における更新による該状態値の記憶削除以降も、該状態値を記憶保持し続ける監視対象領域取得部と、監視対象領域として設定した電力系統機器の、記憶部において記憶削除され監視対象領域取得部に記憶保持された状態値を監視対象領域取得部から読み出し、読み出した状態値、またはその状態値に基づき生成された情報を表示するための出力を行う表示制御部とを備える。
【００１８】
本発明のある局面に従う電力系統監視制御装置の制御方法であって、複数の電力系統機器またはそれら複数の電力系統機器を監視する監視機器から、それら複数の電力系統機器のそれぞれの状態値を取得するステップと、取得された複数の電力系統機器のそれぞれの状態値を、所定数の断面分、更新しながら記憶部に記憶するステップと、記憶部に記憶された複数の電力系統機器の状態値に基づき、監視対象とする電力系統機器を抽出するステップと、複数の電力系統機器の中から、抽出した電力系統機器の周辺の他の電力系統機器を、複数の電力系統機器の位置情報に基づき抽出し、それら抽出した電力系統機器および他の電力系統機器を、監視対象領域として設定するステップと、監視対象領域として設定した各電力系統機器の状態値を記憶部から抽出し、記憶部における更新による該状態値の記憶削除以降も、該状態値を記憶保持し続けるステップと、監視対象領域として設定した電力系統機器の記憶保持された状態値を読み出し、読み出した状態値、またはその状態値に基づき生成された情報を表示するための出力を行うステップとを備える。
【００１９】
本発明の別の局面に従う電力系統監視制御装置の制御方法であって、複数の電力系統機器またはそれら複数の電力系統機器を監視する監視機器から、それら複数の電力系統機器のそれぞれの状態値を取得するステップと、取得された複数の電力系統機器のそれぞれの状態値を、所定数の断面分、更新しながら記憶部に記憶するステップと、外部から少なくとも一つの地域の環境情報が入力され、当該環境情報と複数の電力系統機器の位置情報に基づき、当該地域に対応する複数の電力系統機器を監視対象領域として設定するステップと、監視対象領域として設定した各電力系統機器の状態値を記憶部から抽出し、記憶部における更新による該状態値の記憶削除以降も、該状態値を記憶保持し続けるステップと、監視対象領域として設定した電力系統機器の記憶保持された状態値を読み出し、読み出した状態値、またはその状態値に基づき生成された情報を表示するための出力を行うステップとを備える。
【発明の効果】
【００２０】
事故が発生する可能性のある地域を特定して事故発生前の過去の電力系統の設備の状態を簡易に取得することが可能である。
【図面の簡単な説明】
【００２１】
【図１】本実施の形態１に従う電力系統監視システム１の概略を説明する図である。
【図２】本実施の形態１に従う電力系統監視制御装置１０のハードウェアの構成を説明する図である。
【図３】本実施の形態１に従う電力系統監視制御装置１０の機能ブロック図である。
【図４】第１状態格納部１０４に格納されている電力系統機器の状態値を説明する図である。
【図５】第２状態格納部１０８に格納されている電力系統機器の状態値を説明する図である。
【図６】本実施の形態１に従うしきい値を説明する図である。
【図７】本実施の形態１に従う位置情報格納部１１４を説明する図である。
【図８】本実施の形態１に従う複数の電力系統機器の地域情報を説明する図である。
【図９】監視対象領域取得部１１６が取得した状態値の例を説明する図である。
【図１０】本実施の形態２に従う電力系統監視制御装置の機能ブロック図である。
【図１１】外部からの環境情報の一例を説明する図である。
【発明を実施するための形態】
【００２２】
本実施の形態について、以下、図面を参照しながら説明する。実施の形態の説明において、個数および量などに言及する場合、特に記載がある場合を除き、本発明の範囲は必ずしもその個数およびその量などに限定されない。実施の形態の説明において、同一の部品および相当部品に対しては、同一の参照番号を付し、重複する説明は繰り返さない場合がある。特に制限が無い限り、実施の形態に示す構成に示す構成を適宜組み合わせて用いることは、当初から予定されていることである。
【００２３】
（実施の形態１）
図１は、本実施の形態１に従う電力系統監視システム１の概略を説明する図である。
【００２４】
図１を参照して、電力系統監視システム１は、電力系統監視制御装置１０と、ネットワーク２０と、電力系統機器３０−１〜３０−ｎ（以下、総称して電力系統機器３０とも称する）と、電力系統Ｐとで構成される。
【００２５】
電力系統機器３０は、電力系統Ｐの設備として設けられた、例えば、遮断器、開閉器等である。本例においては、電力系統機器３０は、ネットワーク２０と接続されている場合について説明する。
【００２６】
電力系統監視制御装置１０は、電力系統機器３０である当該遮断器、開閉器等の電力系統Ｐの設備の状態をネットワーク２０を介して監視する。本例においては、一例として、電力系統機器３０がネットワーク２０を介して電力系統監視制御装置１０と通信可能に接続されている場合について説明するが、当該構成に限られず、例えば、電力系統機器３０の状態を監視する監視機器が設けられ、当該監視機器と電力系統監視制御装置１０とが通信可能に設けられて、監視機器を介して電力系統機器３０の状態を電力系統監視制御装置１０が監視する構成としても良い。本例においては、一例として電力系統機器３０の状態として状態値が電力系統監視制御装置１０に対して出力されるものとする。状態値としては、電圧、電流、開閉の有無等、電力系統機器３０の種別に応じてそれぞれ異なる。本例においては、一例として電圧値である場合について説明する。
【００２７】
電力系統機器３０−１〜３０−ｎは、分散的に配置され、各電力系統機器は位置情報を有しており、後述するが当該位置情報に基づいてグルーピングが可能なように設けられている。
【００２８】
図２は、本実施の形態１に従う電力系統監視制御装置１０のハードウェアの構成を説明する図である。
【００２９】
図２を参照して、電力系統監視制御装置１０は、ディスプレイ１２と、ＣＰＵ（Central Processing Unit）１５と、メモリ１６と、入力部１１と、通信部１３と、各部を接続するための内部バス１９とを含む。
【００３０】
通信部１３は、ネットワーク２０を介して電力系統機器３０−１〜３０−ｎとそれぞれ通信可能に設けられている。
【００３１】
ＣＰＵ１５は、メモリ１６に格納されているプログラムを実行することにより後述する処理を実行する。また、当該メモリ１６は、ＣＰＵ１５の作業領域としても用いられる。
【００３２】
また、後述するが、メモリ１６は、記憶領域として電力系統機器３０の状態値を格納するためにも用いられる。
【００３３】
入力部１１は、作業者（管理者）がマウスあるいはキーボード等を介してデータ等を入力する部位である。
【００３４】
ディスプレイ１２は、情報を表示するための表示部である。
図３は、本実施の形態１に従う電力系統監視制御装置１０の機能ブロック図である。
【００３５】
図３を参照して、電力系統監視制御装置１０は、周期的にネットワーク２０を介して電力系統機器３０からの状態値を取得する状態取得部１００と、第１状態記録部１０２と、現在の状態を保存する第１状態格納部１０４と、第２状態記録部１０６と、過去の状態を保存する第２状態格納部１０８と、監視対象抽出部１１０と、監視対象設定部１１２と、電力系統機器３０が配置された位置に関する位置情報を格納する位置情報格納部１１４と、監視対象領域取得部１１６と、表示制御部１１８と、異常検出部１２０とを含む。
【００３６】
ここでは、複数の電力系統機器３０がネットワーク２０と接続されている場合が示されており、各電力系統機器３０を識別するための識別子として「１、２、・・・Ｎ」が付された電力系統機器３０が接続されている場合が示されている。
【００３７】
状態取得部１００は、周期的にネットワーク２０を介して電力系統機器３０から受信した情報を取得する。本例においては３秒間隔で取得する場合について説明する。
【００３８】
第１状態記録部１０２は、周期的にネットワーク２０を介して取得した現在の電力系統機器の状態値（以下、状態値(現在)）を第１状態格納部１０４に保存する。本例においては、周期として３秒間隔で第１状態格納部１０４に取得した状態値を保存する。
【００３９】
図４は、第１状態格納部１０４に格納されている電力系統機器の状態値を説明する図である。
【００４０】
図４を参照して、ここでは、電力系統機器にそれぞれ固有に設けられている識別子（識別番号）に対応する状態値が示されている。
【００４１】
一例として、電力系統機器の識別子１〜ｎに対応してそれぞれの状態値が保存されている場合が示されている。
【００４２】
再び図３を参照して、第２状態記録部１０６は、第１状態格納部１０４に保存された状態値（現在）を周期的に過去の電力系統機器の状態値（以下、状態値(過去））として第２状態格納部１０８に保存する。本例においては、周期として３秒間隔で第１状態格納部１０４に保存された状態値（現在）を第２状態格納部１０８に保存する。システムリソースの制限により第１および第２状態格納部１０４，１０８にはそれぞれ情報が上書き更新されるため本例においては、複数の電力系統機器に関する状態値の保存としては所定数の断面分（本例においては２断面分）である。なお、それ以上の断面分を保存するようにしても良い。
【００４３】
図５は、第２状態格納部１０８に格納されている電力系統機器の状態値を説明する図である。
【００４４】
図５を参照して、ここでは、電力系統機器にそれぞれ固有に設けられている識別子（識別番号）に対応する状態値が示されている。
【００４５】
一例として、電力系統機器の識別子１〜ｎに対応してそれぞれの状態値が保存されている場合が示されている。
【００４６】
なお、ここで、識別子１に対応する電力系統機器に関しては、状態値が「５０」→「０」に状態が変化した場合が示されている。後述するが当該状態変化を検出して、状態変化が所定のしきい値を超えた場合に監視対象として抽出される。
【００４７】
再び図３を参照して、監視対象抽出部１１０は、第１状態格納部１０４に保存された状態値（現在）と、第２状態格納部１０８に保存された状態値（過去）との差分（絶対値）を算出して、算出結果に基づいて監視対象となる電力系統機器を抽出する。具体的には、差分がある所定のしきい値（第１のしきい値（監視レベルしきい値））を超えたか否かに基づいて判断する。なお、当該しきい値は、事故（異常）であると判断される前のしきい値であるものとする。
【００４８】
図６は、本実施の形態１に従うしきい値を説明する図である。
図６を参照して、ここでは、２つのしきい値、監視レベルしきい値と異常レベルしきい値が設けられている。差分が監視レベルしきい値を超えると判断される場合に監視対象となる電力系統機器を抽出する。
【００４９】
一方、後述するが差分が異常レベルしきい値を超えると判断される場合に異常検出信号を出力する。
【００５０】
再び図３を参照して、監視対象設定部１１２は、抽出された電力系統機器に従って監視対象となる領域を設定する。
【００５１】
図７は、本実施の形態１に従う位置情報格納部１１４を説明する図である。
図７を参照して、予め分散配置された電力系統機器の識別子と関連付けられて保存された配置された位置に関する位置情報が示されている。本例においては、ある特定の基準位置を基準とした場合の位置（Ｘ座標、Ｙ座標）に関する位置情報が格納されている。なお、緯度、経度の情報を用いるようにしてもよい。
【００５２】
そして、当該位置情報に従って複数の電力系統機器は、地域毎にグルーピングされているものとする。
【００５３】
なお、本例においては、予め電力系統機器の識別子と位置情報とが入力されて保存されている場合について説明するが、電力系統機器が例えばＧＰＳ機能を有している場合には、状態値とともにＧＰＳ機能により取得した位置情報を電力系統監視制御装置１０に送信することにより予め位置情報を保存しない方式とすることも可能である。なお、外部のサーバ等を介して当該情報に関してダウンロードする形式であっても良い。
【００５４】
図８は、本実施の形態１に従う複数の電力系統機器の地域情報を説明する図である。
図８を参照して、ここでは、複数の電力系統機器がグルーピングされている場合が示されている。
【００５５】
具体的には、識別子１，２にそれぞれ対応する電力系統機器は、地域Ａ、識別子３に対応する電力系統機器は、地域Ｂ、識別子ｎに対応する電力系統機器は、地域Ｃにグルーピングされている場合が示されている。
【００５６】
監視対象設定部１１２は、例えば、識別子１の電力系統機器が監視対象として抽出された場合には、識別子１の電力系統機器が含まれる地域が監視対象となる領域となる。すなわち、地域Ａが監視対象の領域として設定される。
【００５７】
再び図３を参照して、監視対象領域取得部１１６は、監視対象設定部１１２により設定された監視対象となる領域に関連付けられている電力系統機器の状態値（過去）を第２状態格納部１０８から取得する。そして、異常検出部１２０からの異常検出信号が入力されるまで、取得した状態値を時系列に保存する。当該保存は、メモリ１６の領域を用いて保存するものとする。
【００５８】
表示制御部１１８は、監視対象領域取得部１１６から出力された情報をディスプレイ１２に表示する。
【００５９】
異常検出部１２０は、第１状態格納部１０４に保存された状態値（現在）と、第２状態格納部１０８に保存された状態値（過去）の差分を算出して、算出結果に基づいて監視対象となる電力系統機器が異常状態であるか否かを判断する。異常状態であると判断した場合には、異常検出信号を監視対象領域取得部１１６に出力する。具体的には、図６で説明したように状態値の差分がある所定のしきい値（異常レベルしきい値）を超えたか否かに基づいて判断する。当該しきい値は、事故であると判断されるしきい値である。
【００６０】
なお、本例においては、異常検出部１２０は、状態値の差分に基づいて判断する方式について説明するが、特にこれに限られず状態値の傾向あるいは他の電力系統機器の状態値との組み合わせに基づいて判断するようにしても良い。
【００６１】
図９は、監視対象領域取得部１１６が取得した状態値の例を説明する図である。
図９を参照して、本例においては、電力系統機器の状態値の取得として３秒間隔で周期的に処理される場合について説明する。一例として時刻「１０：００：０３」において識別子１の電力系統機器の状態値が「０」に変化した場合に着目する。
【００６２】
例えば、このとき監視対象抽出部１１０は、第１状態格納部１０４および第２状態格納部１０８に関して、状態値の差分が監視レベルしきい値を超えたと判断したものとする。
【００６３】
そして、識別子１に対応する電力系統機器を抽出して監視対象設定部１１２に出力する。
【００６４】
監視対象設定部１１２は、監視対象抽出部１１０により抽出された電力系統機器の識別子１に従って監視対象の領域を設定する。上記したように識別子１に対応する電力系統機器は、図８で説明したように地域Ａが監視対象の領域として設定される。
【００６５】
監視対象領域取得部１１６は、監視対象設定部１１２により設定された地域Ａの情報に従って第２状態格納部１０８に格納されている状態値に関し、地域Ａに関連付けられている電力系統機器に関する状態値を取得し保存する。ここでは、一例として時刻「１０：００：０３」において識別子１の電力系統機器の状態値が「０」に変化した場合に、１つ前（過去）の第２状態格納部１０８に格納されている状態値を取得する。具体的には、「１０：００：００」における状態値を取得する。また、地域Ａに対応する識別子１，２に対応する電力系統機器に関する状態値を取得する。
【００６６】
そして、監視対象領域取得部１１６は、時系列的に３秒毎に第２状態格納部１０８に格納されている状態値を取得し保存する。
【００６７】
時刻「１０：００：１２」において識別子１の電力系統機器の状態値が「−１００」に変化した場合に着目する。
【００６８】
例えば、このとき異常検出部１２０は、第１状態格納部１０４および第２状態格納部１０８に関して、状態値の差分が異常レベルしきい値を超えたと判断したものとする。
【００６９】
そして、監視対象領域取得部１１６に対して異常検出信号を出力する。
監視対象領域取得部１１６は、当該異常検出信号に従って、監視対象領域に対して取得して保存した当該状態値をディスプレイ１２に表示する。
【００７０】
一例として、図９に示される保存した状態値をそのままディスプレイ１２に表示するようにしても良い。
【００７１】
また、ここでは、第１状態格納部１０４に格納されている現在の電力系統機器の状態値も取得してディスプレイ１２に表示するようにしても良い。
【００７２】
また、時刻「１０：００：１２」において識別子Ｎの電力系統機器の状態値が「０」に変化している。したがって、監視対象抽出部１１０は、第１状態格納部１０４および第２状態格納部１０８に関して、状態値の差分が監視レベルしきい値を超えたと判断したものとする。
【００７３】
そして、識別子Ｎに対応する電力系統機器を抽出して監視対象設定部１１２に出力する。
【００７４】
監視対象設定部１１２は、監視対象抽出部１１０により抽出された電力系統機器の識別子Ｎに従って監視対象の領域を設定する。上記したように識別子Ｎに対応する電力系統機器は、図８で説明したように地域Ｃが監視対象の領域として設定される。
【００７５】
監視対象領域取得部１１６は、監視対象設定部１１２により設定された領域、すなわち地域Ｃの情報に従って第２状態格納部１０８に格納されている状態値に関し、地域Ｃに関連付けられている電力系統機器に関する状態値を取得し保存する。ここでは、一例として時刻「１０：００：１２」において識別子Ｎの電力系統機器の状態値が「０」に変化した場合に、１つ前（過去）の第２状態格納部１０８に格納されている状態値を取得する。具体的には、「１０：００：０９」における状態値を取得する。また、地域Ｃに対応する識別子Ｎに対応する電力系統機器に関する状態値を取得する。
【００７６】
なお、本例においては、監視対象領域取得部１１６が取得し保存した状態値の全てをディスプレイ１２に表示する方式について説明するが、特にこれに限られず、異常検出部１２０が異常を検出した場合に異常を検出した電力系統機器を抽出して、当該抽出した電力系統機器に対応する地域に関する情報のみ表示するようにしても良い。当該表示により異常のあった地域のみが表示されるため異常の状態を把握し易い。
【００７７】
本実施の形態１に従う電力系統監視制御装置は、電力系統の事故が発生する発生前後の電力系統機器の状態を表示するに際し、電力系統の事故が発生する前に監視レベルを定め、監視レベルを超えた電力系統機器を抽出する。そして、抽出した電力系統機器の位置情報に基づいてグルーピングされた地域を特定して、当該特定された地域を監視対象となる領域に設定して、関連する電力系統機器の状態値を取得して保存する。当該方式により、電力系統機器の位置情報から表示対象すなわち監視対象となる電力系統機器を事前に絞り込むことが可能となる。そして、絞り込んだ電力系統機器の状態値を別に保存しておき、異常が検出した場合に当該保存した情報を提示する。すなわち、第１状態格納部１０４および／または第２状態格納部１０８に格納（記憶）され、更新により削除された以降も、監視対象領域取得部１１６により監視対象の領域として設定された状態値が別に記憶保持される。そして、当該別に記憶保持されたその情報が読み出されて、その読み出した状態値またはその状態値に基づき生成された情報が提示される。
【００７８】
したがって、従来よりシステムリソースの制限により断面数に制限がされていた場合に、これまでと同一のシステムリソースで長期間に渡る状態値を保存することができる。これにより事故が発生する可能性のある地域を特定して事故発生前の過去の電力系統の設備の状態を簡易に取得することが可能である。
【００７９】
なお、図８に示すテーブルは、各電力系統機器が自己の座標を位置情報として送信し、電力系統監視制御装置がそれを複数の地域に分類することにより生成できる。その場合、電力系統監視制御装置には座標と地域の対応を予め記憶すればよい。各電力系統機器の状態や後述する環境情報に応じて、地域の境界を変えるようにしても良い。各電力系統機器は位置情報や座標ではなく、地域を示す識別記号を送るようにしても良い。その場合、電力系統監視制御装置がその地域を示す識別記号をさらに他の地域分類に変換しても良い。  
【００８０】
また、図８に示すテーブルを電力系統監視制御装置に予め記憶しておいても良い。また電力系統監視制御装置に接続されるキーボードや管理用端末から、各電力系統機器の座標や地域を示す識別記号が入力されるようにしても良い。また、一部の電力系統機器についてのみ地域を示す識別記号を電力系統監視制御装置に予め記憶し、その他の電力系統機器については各電力系統機器が自己の座標を電力系統監視制御装置に送信することで、電力系統監視制御装置が各電力系統機器の位置する地域を識別しても良い。また、抽出部が抽出した電力系統機器と同一地域内に位置する電力系統機器を監視対象領域として設定するのではなく、抽出した電力系統機器から半径Ｒの円領域内に位置する電力系統機器を監視対象領域として設定しても良い。
【００８１】
また、異常検出部は、監視対象領域ではない電力系統機器に対して異常検出処理を行わないようにしても良い。あるいは監視対象領域の各電力系統機器に対して行う異常検出処理よりも、精度は低いが演算量が少ない、あるいは、検出処理の頻度を少なくするなど、処理負荷が少ない他の異常検出の方法を行うようにしても良い。これにより異常検出に必要な全体としての処理量を減らすことができる。
【００８２】
また、抽出部は、後述する環境情報が入力された場合に、その環境情報に基づき監視対象とする電力系統機器を抽出する処理をさらに行っても良い。
【００８３】
（実施の形態２）
上記の実施の形態１では電力系統機器の状態値の変化から監視対象となる地域を特定して、当該地域を監視対象となる領域に設定して、当該領域に関連付けられた電力系統機器の状態値を取得する方式について説明したが、本実施の形態２においては、外部からの環境情報に従って監視対象となる地域を特定する方式について説明する。
【００８４】
図１０は、本実施の形態２に従う電力系統監視制御装置の機能ブロック図である。
図１０を参照して、本実施の形態２に従う電力系統監視制御装置は、図３で説明した電力系統監視制御装置と比較して監視対象設定部１１２を監視対象設定部１１２＃に置換した点と、監視対象抽出部１１０を削除した点が異なる。その他の構成については同様であるのでその詳細な説明については繰り返さない。
【００８５】
監視対象設定部１１２＃は、外部からの環境情報を取得して、当該環境情報に従って監視対象となる領域を設定する。
【００８６】
図１１は、外部からの環境情報の一例を説明する図である。
図１１（Ａ）を参照して、本例においては、外部からの環境情報として例えば、公的機関、例えば気象庁から送信される地震情報が挙げられる。
【００８７】
本例においては、一例として地域Ａについては、震度３、地域Ｂについては震度１、地域Ｃについては震度１が観測されて当該情報を環境情報として取得した場合について説明する。
【００８８】
また、例えば、本例においては、地震情報（環境情報）として震度３以上の場合に監視対象となるものとする。
【００８９】
したがって、本例においては、監視対象設定部１１２＃は、地震情報（環境情報）に従って震度３となった地域Ａを監視対象となる領域として設定する。
【００９０】
監視対象領域取得部１１６は、監視対象設定部１１２により設定された監視対象となる領域に関連付けられている電力系統機器の状態値（過去）を第２状態格納部１０８から取得する。例えば、地域Ａが監視対象となる領域として設定された場合には、識別子１，２に対応する電力系統機器の状態値を第２状態格納部１０８から取得する。そして、異常検出部１２０からの異常検出信号が入力されるまで、取得した状態値を時系列に保存する。当該保存は、メモリ１６の領域を用いて保存するものとする。
【００９１】
表示制御部１１８は、監視対象領域取得部１１６から出力された情報をディスプレイ１２に表示する。
【００９２】
異常検出部１２０は、第１状態格納部１０４に保存された状態値（現在）と、第２状態格納部１０８に保存された状態値（過去）の差分を算出して、算出結果に基づいて監視対象となる電力系統機器が異常状態であるか否かを判断する。異常状態であると判断した場合には、異常検出信号を監視対象領域取得部１１６に出力する。具体的には、図６で説明したように状態値の差分がある所定のしきい値（異常レベルしきい値）を超えたか否かに基づいて判断する。当該しきい値は、事故であると判断されるしきい値である。
【００９３】
当該方式により、地震情報（環境情報）の入力に従って、監視対象となる領域を設定して、当該設定された領域に関連付けられた電力系統機器を事前に絞り込むことが可能となる。そして、絞り込んだ電力系統機器の状態値を別に保存しておき、異常が検出した場合に当該保存した情報を提示する。
【００９４】
図１１（Ｂ）を参照して、本例においては、外部からの環境情報として例えば、公的機関、例えば気象庁から送信される雨、雪、風等の警報情報が挙げられる。
【００９５】
本例においては、一例として地域Ａについては、警報有り、地域Ｂについては警報無し、地域Ｃについては警報無しの状態であるものとする。当該情報を環境情報として取得した場合について説明する。
【００９６】
また、例えば、本例においては、警報情報（環境情報）として警報有りの場合に監視対象となるものとする。
【００９７】
したがって、本例においては、監視対象設定部１１２＃は、警報情報（環境情報）に従って警報有りとなった地域Ａを監視対象となる領域として設定する。
【００９８】
監視対象領域取得部１１６は、監視対象設定部１１２により設定された監視対象となる領域に関連付けられている電力系統機器の状態値（過去）を第２状態格納部１０８から取得する。例えば、地域Ａが監視対象となる領域として設定された場合には、識別子１，２に対応する電力系統機器の状態値を第２状態格納部１０８から取得する。そして、異常検出部１２０からの異常検出信号が入力されるまで、取得した状態値を時系列に保存する。当該保存は、メモリ１６の領域を用いて保存するものとする。
【００９９】
表示制御部１１８は、監視対象領域取得部１１６から出力された情報をディスプレイ１２に表示する。
【０１００】
異常検出部１２０は、第１状態格納部１０４に保存された状態値（現在）と、第２状態格納部１０８に保存された状態値（過去）の差分を算出して、算出結果に基づいて監視対象となる電力系統機器が異常状態であるか否かを判断する。異常状態であると判断した場合には、異常検出信号を監視対象領域取得部１１６に出力する。具体的には、図６で説明したように状態値の差分がある所定のしきい値（異常レベルしきい値）を超えたか否かに基づいて判断する。当該しきい値は、事故であると判断されるしきい値である。
【０１０１】
当該方式により、警報情報（環境情報）の入力に従って、監視対象となる領域を設定して、当該設定された領域に関連付けられた電力系統機器を事前に絞り込むことが可能となる。そして、絞り込んだ電力系統機器の状態値を別に保存しておき、異常が検出した場合に当該保存した情報を提示する。
【０１０２】
したがって、従来よりシステムリソースの制限により断面数に制限がされていた場合に、これまでと同一のシステムリソースで長期間に渡る状態値を保存することができる。これにより事故が発生する可能性のある地域を特定して事故発生前の過去の電力系統の設備の状態を簡易に取得することが可能である。
【０１０３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１０４】
１  電力系統監視システム、１０  電力系統監視制御装置、１１  入力部、１２  ディスプレイ、１３  通信部、１５  ＣＰＵ、１６  メモリ、１９  内部バス、２０  ネットワーク、３０  電力系統機器、１００  状態取得部、１０２  第１状態記録部、１０４  第１状態格納部、１０６  第２状態記録部、１０８  第２状態格納部、１１０  監視対象抽出部、１１２，１１２＃  監視対象設定部、１１４  位置情報格納部、１１６  監視対象領域取得部、１１８  表示制御部、１２０  異常検出部。
【図１】
2015027186.tif 000003
【図２】
2015027186.tif 000004
【図３】
2015027186.tif 000005
【図４】
2015027186.tif 000006
【図５】
2015027186.tif 000007
【図６】
2015027186.tif 000008
【図７】
2015027186.tif 000009
【図８】
2015027186.tif 000010
【図９】
2015027186.tif 000011
【図１０】
2015027186.tif 000012
【図１１】
2015027186.tif 000013